(57)【特許請求の範囲】
【請求項１】
表示板に沿って回転駆動される針と、
前記針を駆動する駆動部と、
時刻とは無関係に針を制御するための物理量を含む針制御信号を取得する取得部と、
前記取得部により取得された針制御信号に基づいて、前記駆動部を制御するための信号を前記駆動部へ出力する制御部と、
を備え、
前記制御部は、他装置が保持する情報を前記物理量に変換して自装置に送信するように要求する要求信号を他装置に送信し、
前記取得部は、前記要求信号に対する他装置の応答である針制御信号を取得する、
電子時計。
【請求項２】
前記物理量は、前記針の回転角度、回転方向、回転速度、または前記針の駆動回数に対応するステップ数のうち、いずれか１つ以上の量であって、
前記制御部は、前記物理量のうち、いずれか１つ以上の物理量を含む前記駆動部を制御するための信号を前記駆動部へ出力する、
請求項１記載の電子時計。
【請求項３】
針の位置を検出し、検出結果を前記針制御信号の出力元に出力する針位置検出部を更に備える、
請求項１または２記載の電子時計。
【請求項４】
針の位置を検出する針位置検出部を更に備え、
前記制御部は、前記針位置検出部の検出結果、および前記取得部により取得された前記針制御信号に基づいて、前記駆動部を制御するための信号を前記駆動部へ出力する、
請求項１または２記載の電子時計。
【請求項５】
前記駆動部の駆動によって前記針制御信号に係る針の制御が完了した場合、前記制御部は、前記針の制御が完了したことを通知する信号を、前記針制御信号の出力元に出力する、
請求項１から４のうちいずれか１項記載の電子時計。
【請求項６】
請求項１から５のうちいずれか１項に記載の電子時計と、
前記電子時計と通信可能であると共に前記電子時計と積層される電子装置と、
を備える電子時計システム。
【請求項７】
前記電子時計と前記電子装置とが別体の電源を備える、
請求項６記載の電子時計システム。
【請求項８】
前記取得部は、前記電子装置から送信された針制御信号、または前記電子装置を介して通信機能を有する他の装置から送信された針制御信号を取得し、
前記制御部は、前記取得部により取得された前記針制御信号に基づいて、前記駆動部を制御するための信号を出力する、
請求項７記載の電子時計システム。
【請求項９】
表示板に沿って回転駆動される針、前記針を駆動する駆動部、時刻とは無関係に針を制御するための物理量を含む針制御信号を取得する取得部、および前記取得部により取得された針制御信号に基づいて、前記駆動部を制御するための信号を前記駆動部へ出力する制御部、を備える電子時計と、
前記電子時計と通信可能であると共に前記電子時計と積層される電子装置と、
を備え、
前記電子時計と前記電子装置とが別体の電源を備え、
前記取得部は、前記電子装置から送信された針制御信号、または前記電子装置を介して通信機能を有する他の装置から送信された針制御信号を取得し、
前記制御部は、前記取得部により取得された前記針制御信号に基づいて、前記駆動部を制御するための信号を出力する、
電子時計システム。
【発明の詳細な説明】
【技術分野】
【０００１】
本発明は、電子時計、電子時計システム、および電子時計制御方法に関する。
【背景技術】
【０００２】
従来、携帯電子装置に装着されたアナログ時計が知られている（例えば、引用文献１）。このアナログ時計は、携帯電子装置の電源が動作に十分な電圧を有している場合には、携帯電子装置により送信された針を動かすための信号に基づいて針を制御する。一方、携帯電子装置が動作できなくなる電源電圧の場合には、アナログ時計の針を動かす制御を自装置で行う。これにより、アナログ時計は、時刻を刻む動作を停止させることなく続行させている。
【先行技術文献】
【特許文献】
【０００３】
【特許文献１】特開２０１０−２７１２３９号公報
【発明の概要】
【発明が解決しようとする課題】
【０００４】
しかしながら、従来のアナログ時計においては、分針や時針などの針は、あくまで時刻を刻むものである。
本発明は、このような事情を考慮してなされたものであり、時計の針が提供する情報の多様性を確保可能とする電子時計、電子時計システム、および電子時計制御方法を提供することを目的の一つとする。
【課題を解決するための手段】
【０００５】
上記課題を解決するために本発明の電子時計は、表示板に沿って回転駆動される針と、前記針を駆動する駆動部と、時刻とは無関係に針を制御するための物理量を含む針制御信号を取得する取得部と、前記取得部により取得された針制御信号に基づいて、前記駆動部を制御するための信号を前記駆動部へ出力する制御部とを備える。本発明によれば、針を自在に制御することができるので、時計の針が提供する情報の多様化を図ることができる。
【０００６】
本発明における前記物理量は、前記針の回転角度、回転方向、回転速度、または前記針の駆動回数に対応するステップ数のうち、いずれか１つ以上の量であって、前記制御部は、前記物理量のうち、いずれか１つ以上の物理量を含む前記駆動部を制御するための信号を前記駆動部へ出力する。本発明によれば、針の動作に係る物理量に応じて駆動部を制御することができるため、高精度に針を制御することができる。
【０００７】
本発明の電子時計は、針の位置を検出し、検出結果を前記針制御信号の出力元に出力する針位置検出部を更に備える。本発明によれば、針の位置に基づいて、針を制御することができるため、より高精度に針を制御することができる。
【０００８】
本発明の電子時計は、針の位置を検出する針位置検出部を更に備え、前記制御部は、前記針位置検出部の検出結果、および前記取得部により取得された前記針制御信号に基づいて、前記駆動部を制御するための信号を前記駆動部へ出力する。本発明によれば、針の位置に基づいて、針を制御することができるため、より高精度に針を制御することができる。
【０００９】
本発明の電子時計は、前記駆動部の駆動によって前記針制御信号に係る針の制御が完了した場合、前記制御部は、前記針の制御が完了したことを通知する信号を、前記針制御信号の出力元に出力する。本発明によれば、針の制御が完了した場合、針制御信号の出力元に完了を通知するため、針制御信号の送受信を適切に管理できる。
【００１０】
本発明の電子時計は、前記制御部が、他装置が保持する情報を前記物理量に変換して自装置に送信するように要求する要求信号を他装置に送信し、前記取得部は、前記要求信号に対する他装置の応答である針制御信号を取得する。本発明によれば、自発的に自装置の針を制御することができる。
【００１１】
本発明の電子時計は、前記電子時計と通信可能であると共に前記電子時計と積層される電子装置を備える。本発明によれば、電子時計と電子装置とを利用する場合の利便性が向上する。
【００１２】
本発明の電子時計は、前記電子時計と前記電子装置とが別体の電源を備える。本発明によれば、電子装置の電源電圧が低下した場合であっても、電子時計を利用することができるため、より利用者の利便性が向上する。
【００１３】
本発明の電子時計は、前記取得部が、前記電子装置から送信された針制御信号、または前記電子装置を介して通信機能を有する他の装置から送信された針制御信号を取得し、前記制御部は、前記取得部により取得された前記針制御信号に基づいて、前記駆動部を制御するための信号を出力する。本発明によれば、電子時計の汎用性を向上させることができる。
【００１４】
本発明の電子時計制御方法は、時刻とは無関係に表示板に沿って回転駆動される針を制御するための物理量を含む針制御信号を取得し、前記取得した前記針制御信号に基づいて、前記針を駆動させる駆動部を制御するための信号を前記駆動部へ出力することで前記針を制御する。本発明によれば、針を自在に制御することができるので、時計の新しい楽しみ方を提供することができる。
【発明の効果】
【００１５】
本発明の電子時計によれば、時刻とは無関係に針を制御するための物理量を含む針制御信号に基づいて、駆動部を制御するための信号を駆動部へ出力することにより、時計の針が提供する情報の多様化を実現することができる。
【図面の簡単な説明】
【００１６】
【図１】電子時計システム１の斜視図。
【図２】電子時計システム１の機能構成図。
【図３】電子時計システムにより実行される処理の流れを示すシーケンス図。
【図４】位置の検出および針の動作について説明するための図。
【図５】針制御信号の一例を示す図。
【図６】絶対角度指示動作を説明するための図。
【図７】往復指示動作を説明するための図。
【図８】回転指示動作を説明するための図。
【図９】２針連動指示動作について説明するための図。
【図１０】全針連動指示動作を説明するための図。
【図１１】電子時計ユニット３０Ａの外観図。
【図１２】第２の実施形態の電子時計ユニット３０Ａの機能構成図。
【図１３】第２の実施形態における電子時計システムにより実行される処理の流れを示すシーケンス図。
【図１４】他の機器等から針制御信号を取得する場合について説明するための図。
【発明を実施するための形態】
【００１７】
以下、図面を参照し、本発明の時計の実施形態について説明する。
＜第１実施形態＞
図１は、電子時計システム１の斜視図である。また、図２は、電子時計システム１の機能構成図である。電子時計システム１は、情報ユニット１０と、電子時計ユニット３０と、表示ユニット８０とを備える。電子時計システム１は、例えば情報ユニット１０、電子時計ユニット３０、表示ユニット８０の順で積層される。
【００１８】
情報ユニット１０は、例えば無線通信機能を有し、アプリケーションプログラムをインストール可能な電子時計としてのスマートウォッチである。情報ユニット１０は、情報ユニット１０を制御して動作させるためのオペレーティングシステム（ＯＳ；Operating System）がインストールされた電子装置である。また、情報ユニット１０は、外部通信部２２を介して外部からアプリケーションプログラムをインストール可能、且つ、インストールされたプログラムを実行可能な電子装置である。情報ユニット１０は、例えばネットワークにアクセス可能なスマートフォンなどの他の通信機器と通信することができる。また、情報ユニット１０は、自身が基地局や、ネットワークにアクセス可能な電子装置であってもよい。
【００１９】
情報ユニット１０は、電源部１２と、発振回路１４と、記憶部１６と、通信部１８と、表示通信部２０と、外部通信部２２と、情報操作部２４と、情報制御部２５とを備える。電源部１２は、例えば蓄電池である。電源部１２は、例えば１度の充電で１日〜数日の間、情報ユニット１０が動作するための電力を供給する。発振回路１４は、例えば水晶発振器を備える。発振回路１４は、情報ユニット１０内で時刻を刻むための信号を情報制御部２５へ出力する。記憶部１６は、情報制御部２５の指示に基づいて情報を記憶する。記憶部１６には、利用者によりインストールされたアプリケーションプログラム、またはＡＰＩ（Application Programming Interface）が記憶されている。通信部１８は、電子時計ユニット３０の通信部４８と通信を行う。表示通信部２０は、表示ユニット８０と通信を行う。表示通信部２０は、例えば表示ユニット通信部８２と有線により接続されることによって通信を行う。外部通信部２２は、例えばスマートフォンなどの他の通信機器と通信を行う。また、外部通信部２２は、基地局や、無線ＬＡＮ、Ｗｉ−Ｆｉ（Wireless Fidelity）などのアクセスポイントに接続する機能を有している。情報操作部２４は、操作者の操作入力に基づく信号を情報制御部２５へ出力する。
【００２０】
情報制御部２５は、表示制御部２６と、信号制御部２７と、処理部２８とを備える。情報制御部２５は、アプリケーションプログラムを実行することで、情報操作部２４に表示されたＧＵＩ（Graphical User Interface）スイッチに対する操作入力に対応する制御信号を生成し、生成した信号を電子時計ユニット３０へ出力する。表示制御部２６は、表示ユニット８０を制御するための信号を表示ユニット８０へ出力する。信号制御部２７は、電子時計ユニット３０を制御するための信号を電子時計ユニット３０へ出力する。処理部２８は、情報ユニット１０の各部を制御する。
【００２１】
電子時計ユニット３０は、表示板３２と、時針３４と、分針３６と、秒針３８と、電源部４０と、発振回路４２と、記憶部４４と、制御切替記憶部４６と、操作部４７と、通信部４８、時計制御部５０と、針駆動部５２Ａ〜Ｃとを備える。時計制御部５０の各機能部は、例えば、電子時計ユニット３０が備えるＣＰＵ（Central Processing Unit）等のプロセッサがプログラムメモリに格納されたプログラムを実行することで機能するソフトウェア機能部である。また、時計制御部５０の各機能部のうち一部または全部は、ＬＳＩ（Large  Scale  Integration）やＡＳＩＣ（Application  Specific  Integrated  Circuit）等のハードウェア機能部であってもよい。記憶部４４、および制御切替記憶部４６は、例えばＲＡＭ（Random Access Memory）やＨＤＤ（Hard Disk Drive）、フラッシュメモリなどの記憶装置である。
【００２２】
表示板３２は、例えば時刻を示す文字、記号、数字などが表示された盤である。時針３４は、例えば時刻における時間を指し示し、分針３６は、例えば時刻における分を指し示す。また、秒針３８は、時刻における秒を指し示す。時針３４と、分針３６と、秒針３８とを区別しない場合は、単に「時計針」と表記する。
【００２３】
電源部４０は、電子時計ユニット３０の各部が駆動するための電力を供給する。電源部４０は、例えば一次電池や、二次電池、光などを利用して発電するソーラー電池である。一次電池、または二次電池を利用する場合、一次電池、または二次電池は、交換や充電せずに例えば電子時計ユニット３０を、数日〜数年間、動作させることができる電力を供給する能力を有する。情報ユニット１０の電圧が所定値以下となった場合であっても、電子時計ユニット３０は電源部４０からの電力の供給により動作し続けることができる。
【００２４】
発振回路４２は、例えば水晶発振器を備える。発振回路４２は、運針タイミングを時計制御部５０へ出力する。記憶部４４は、時計制御部５０の制御に基づいて情報を記憶する。制御切替記憶部４６は、運針の制御態様を記憶する。すなわち、制御切替記憶部４６には、電子時計ユニット３０の発振回路４２により発信されたタイミングで時計針が制御されるか、または情報ユニット１０から取得した制御信号に基づいて時計針が制御されるかが記憶される。操作部４７は、例えば竜頭であり、利用者によって操作（例えば回転操作、押圧操作）された操作結果を時計制御部５０へ出力する。
【００２５】
通信部４８は、例えば情報ユニット１０の通信部１８と有線で接続され、互いに通信を行う。例えば通信はシリアルインターフェースや、Ｉ2Ｃ（Inter‐Integrated Circuit）、ＳＰＩ（シリアル・ペリフェラル・インタフェース）などの通信規格が利用される。また、通信部４８は、情報ユニット１０の通信部１８と、例えばBluetooth（登録商標）などの無線通信を行ってもよい。また、通信部４８は、他の通信機器や、基地局、ネットワークへアクセスするためのアクセスポイントと通信する機能を有していてもよい。
【００２６】
時計制御部５０は、電子時計ユニット３０の各部を制御する。時計制御部５０は、発振回路４２から発信された運針タイミングに基づいて、時刻情報を更新すると共に、針駆動部５２Ａ〜５２Ｃを制御する。また、時計制御部５０は、時計針の制御を自装置が行うか、他の装置から送信された信号に基づいて行うかを決定すると共に、決定した態様に基づいて針駆動部５２Ａ〜５２Ｃを制御する。時計制御部５０が、実行する処理の詳細は後述する。
【００２７】
針駆動部５２Ａ〜５２Ｃは、時計針を動作させる駆動部である。針駆動部５２Ａ〜５２Ｃは、それぞれモータ駆動回路５４Ａ〜５４Ｃと、モータ５６Ａ〜５６Ｃと、輪針５８Ａ〜５８Ｃと、針位置検出部６０Ａ〜６０Ｃとを備える。これら各部が備える構成機能を区別しない場合は、符号の後に付したＡ〜Ｃの表記を省略する。
【００２８】
モータ駆動回路５４は、時計制御部５０から出力された信号に基づいて、モータ５６を駆動させる駆動パルスを生成する。モータ５６は、モータ駆動回路５４により生成された駆動パルスに基づいて回転する。モータ５６は、例えばステッピングモータであり、ステッピングモータが単位角度（１８０度）回転することにより、輪針５８を介して時計針が１度回転する。なお、この単位角度を１ステップとする。輪針５８は、モータ５６の回転軸に接続された輪列（歯車の集合体）である。輪針５８は、モータ５６の回転軸の回転により各歯車が回転され、時針３４、分針３６、または秒針３８を回転させる。
【００２９】
針位置検出部６０Ａ〜６０Ｃは、それぞれ時針３４、分針３６、秒針３８の位置を検出し、検出結果を時計制御部５０へ出力する。針位置検出部６０は、例えば発光素子と受光素子とを備える。発光素子の発光面と受光素子の受光面とが、位置検出穴を有する歯車を挟んで向き合うように配置される。針位置検出部６０は、受光素子による発光素子から発光された光の受光に基づいて、時計針の位置を検出する。また、針位置検出部６０は、モータ駆動回路５４が生成した駆動パルスを取得し、取得した駆動パルスに基づいて各時計針の位置を検出してもよい。なお、本実施形態では電子時計３０は、針位置検出部６０Ａ〜６０Ｃを備える構成として説明するが、針位置検出部６０Ａ〜６０Ｃを備えなくてもよいし、針位置検出部６０Ａ〜６０Ｃのうち、いずれか１つまたは２つの針位置検出部を備えてもよい。
【００３０】
表示ユニット８０は、表示ユニット通信部８２と、表示ユニット制御部８４と、表示駆動部８６と、操作表示部８８と、操作検出部８９とを備える。表示ユニット通信部８２は、情報ユニット１０の表示通信部２０と通信可能である。表示ユニット制御部８４は、表示ユニット通信部８２から取得した信号に基づいて、表示駆動部８６を制御するための表示制御信号を出力する。表示駆動部８６は、表示制御信号に基づいて、操作表示部８８を制御する。
【００３１】
操作表示部８８は、例えばＬＣＤ（Liquid Crystal Display）や有機ＥＬ（Electroluminescence）などの表示装置である。操作表示部８８は、例えば透明のＬＣＤであり、表示ユニット制御部８４より制御信号が出力されていない場合、重畳された電子時計ユニット３０の表示板３２や、時計針などを視認可能とする。操作表示部８８は、表示駆動部８６による制御により情報ユニット１０から送信された信号に対応する画像や、操作用のＧＵＩスイッチなどを表示する。操作検出部８９は、操作表示部８８と重畳されて設けられる。操作検出部８９は、座標検出機構により操作者の操作表示部８８におけるタッチ位置を検出し、表示ユニット通信部８２を介して検出結果を情報ユニット１０へ送信する。また、操作検出部８９は、ＧＵＩに対するフリック操作、スワイプ操作などを検出したときに、操作に対応する操作信号を生成して、表示ユニット制御部８４に出力する。
【００３２】
図３は、電子時計システム１により実行される処理の流れを示すシーケンス図である。電子時計ユニット３０は、情報ユニット１０から取得した制御信号に基づいて、時計針の動作を制御する。本シーケンス図では、一例としてステップ指示動作について説明する。ステップ指示動作は、針制御信号に基づいて、指示されたステップに対応するように時計針を制御する動作である。
【００３３】
まず、情報ユニット１０の信号制御部２７が、電子時計ユニット３０の時計針の位置を問い合わせる問い合わせ信号ＳＱを生成し（ステップＳ１００）、生成した問い合わせ信号ＳＱを電子時計ユニット３０へ送信する（ステップＳ１０２）。例えば利用者により表示ユニット８０の操作表示部８８に対して操作入力がされた場合に、信号制御部２７が問い合わせ信号ＳＱを生成する。次に、時計制御部５０が、通信部４８を介して問い合わせ信号ＳＱを取得する（ステップＳ１０４）。次に、時計制御部５０は、針位置検出部６０により検出された時計針の位置を示す位置信号ＳＡを情報ユニット１０へ送信する（ステップＳ１０６）。
【００３４】
図４は、位置の検出および時計針の動作について説明するための図である。図中、θ０〜θ２７０は、それぞれ角度０（３６０）度、９０度、１８０度、２７０度を示している。以下、図中、右回り（θ０からみてθ９０の方向）を正の方向と称し、左回りを負の方向と称する。図４の左図は、ステップ指示動作前の分針３６を示している。時針３４、分針３６、秒針３８は、それぞれθ３００度、θ９０度、θ２４０度に位置している。例えば情報ユニット１０から分針３６の位置の問い合わせがあった場合、時計制御部５０は、針位置検出部６０から分針３６の位置θ９０度を取得し、取得した位置θ９０度を情報ユニット１０へ送信する。なお、図４の例は、後述するように合計３０度移動させる指示があったときに行われる制御の様子を示している。
【００３５】
次に、情報ユニット１０の信号制御部２７が、取得した位置信号ＳＡに基づいて、時計針を制御するための針制御信号ＳＩを生成し（ステップＳ１０８）、通信部１８を介して電子時計ユニット３０へ針制御信号ＳＩを出力する（ステップＳ１１０）。なお、信号制御部２７は、外部通信部２２から針制御信号ＳＩを生成するための情報を取得してもよいし、外部通信部２２から生成された針制御信号ＳＩを取得してもよい。また、情報操作部２４から入力された信号に基づいて針制御信号ＳＩを生成してもよい。
【００３６】
ここで、針制御信号とは、時刻とは無関係に時計針を制御するための物理量を含む信号である。なお、時刻とは無関係に時計針を制御するための物理量には、現在取り付けられている時計針の型を識別する情報は含まれない。図５は、針制御信号の一例を示す図である。図５の針制御信号Ｓ１に示すように針制御信号には、制御項目が含まれ１つ以上の制御項目が規定されている。制御項目は、例えば動作を指示する時計針（図中、分針）、時計針の駆動速度（図中、針駆動速度）、動作を繰り返す回数（図中、繰り返し回数）、時計針の回転方向（図中、回転方向）、モータ駆動を駆動させるステップ数（図中、ステップ数）などである。針制御信号に含まれる１つ以上の制御項目は、後述する図６から図１０を用いて説明する時計針を制御する制御動作の種類に応じて変更してもよいし、制御動作、または時計針の種類（時針３４、分針３６、秒針３８）ごとに予め対応付けされていてもよい。
【００３７】
また、２つの時計針が連動して動作する場合の針制御信号を、図５の針制御信号Ｓ２に示す。針制御信号Ｓ２には、制御項目として連動する針を示す情報が規定されている。例えば制御動作させる対象が分針３６であり、連動して動作する対象が時針３４である場合、連動する針の制御項目には、針の種類である時針３４を示す情報が規定される。これにより、時針３４と分針３６とが連動して制御動作する。また、時針３４、分針３６、および秒針３８が連動する場合、連動する針の制御項目には、時針３４および秒針３８が規定される。また、図５の針制御信号Ｓ３に示すように、針制御信号は、例えば２つの針（分針３６および秒針３８）に対して、動作を指示する信号であってもよい。この場合、２つの針（分針３６および秒針３８）の動作が連動する。なお、３つの針（時針３４、分針３６、秒針３８）の動作を連動させる場合の針制御信号は、３つの針に対して動作を指示する信号となる。
【００３８】
次に、時計制御部５０が、通信部４８を介して針制御信号ＳＩを取得し、取得した針制御信号ＳＩに基づいてモータ駆動回路５４を制御する（ステップＳ１１２）。これにより時計針が、針制御信号ＳＩに対応する動作を行う。前述した図４の例では、例えば電子時計ユニット３０が、例えば時計針の単位時間あたりの駆動速度＝６度／１秒、ステップ数＝３０、繰り返し回数＝１の指示に係る針制御信号を取得すると、図４の右図に示すように分針３６は、時計制御部５０の制御により３０度、右方向に回転する。
【００３９】
次に、時計制御部５０は、針位置検出部６０の検出結果を参照して、針制御信号ＳＩに対応する動作後の位置に時計針が位置するまで待機する（ステップＳ１１４）。針制御信号ＳＩに対応する動作後の位置に時計針が位置した場合、時計制御部５０は、針位置検出部６０の検出結果を参照して、時計針の位置を含む信号ＳＣを情報ユニット１０の情報制御部２５へ送信する（ステップＳ１１６）。これにより、電子時計システム１により実行される処理は終了する。
【００４０】
なお、ステップＳ１１４の処理、またはステップＳ１１６の処理は省略してもよい。また、時計制御部５０は、情報制御部２５からの要求信号があった場合に動作完了後の時計針の位置を検出して、検出結果を情報制御部２５へ送信してもよい。また、時計制御部５０は、複数の針制御信号を、針制御信号に係る動作開始前、または動作完了前に取得した場合、針制御信号に係る処理内容を記憶部４４に記憶させ、時計針の制御を順次実行してもよい。すなわち、時計制御部５０は、バッファー処理を実行する。
【００４１】
以下、図６〜図１０を参照して、電子時計ユニット３０の時計針が針制御信号に基づいて動作する例について説明する。電子時計ユニット３０は、針制御信号に基づいて、ステップ指示動作の他に、例えば相対角度指示動作、絶対角度指示動作、停止指示動作、往復指示動作、回転指示動作、２針連動指示動作、および全針連動指示動作を実行する。
【００４２】
（相対角度指示動作）
相対角度指示動作は、針制御信号に基づいて、時計針の現在の位置から所定の角度を回転させる動作である。図４を援用して説明する。電子時計ユニット３０が、例えば分針３６の単位時間あたりの駆動速度＝６度／１秒、相対角度＝３０度、繰り返し回数＝１、回転方向＝正の指示に係る針制御信号を取得すると、左図に示す分針３６は、時計制御部５０の制御により右図に示す分針３６の位置に３０度、回転する。
【００４３】
（絶対角度指示動作）
絶対角度指示動作は、針制御信号に基づいて、時計針が予め設定された位置から所定の角度回転する動作である。図６は、絶対角度指示動作を説明するための図である。予め設定された位置は、例えば図中、θ０を指す位置であるものとする。左図は、絶対角度指示動作前の分針３６を示している。中図は、絶対角度指示動作開始され、予め設定された位置に回転した分針３６を示している。右図は、絶対角度指示動作完了後の分針３６を示している。電子時計ユニット３０が、例えば時計針の単位時間あたりの駆動速度＝６度／１秒、繰り返し回数＝１、絶対角度＝６０度、回転方向＝正を指示する針制御信号を取得すると、図示するように分針３６は、時計制御部５０の制御によりθ０度の位置に戻った後、θ６０度の位置に回転する。なお、本実施家形態では、時計針は、絶対角度指示動作が開始された後、予め設定された位置に回転し（中図）、予め設定された位置から絶対角度指示動作が完了する位置（右図）に回転するが、予め設定された位置に回転せずに、時計針の初期位置（左図）から絶対角度指示動作が完了する位置（右図）に回転してもよい。
【００４４】
（停止指示動作）
停止指示動作は、針制御信号に基づいて、時計針が現在の位置で停止する動作である。この場合、針制御信号には、時計針が現在の位置で停止するように指示する信号が含まれる。電子時計ユニット３０が、針制御信号を取得すると時計針を停止させる制御を実行する。
【００４５】
（往復指示動作）
往復指示動作は、針制御信号に基づいて、時計針が所定の角度幅の間、往復運動する動作である。図７は、往復指示動作を説明するための図である。図中、符号３６−１は、往復指示動作開始時の初期位置の分針を示している。符号３６−２は、往復指示動作中における往復地点の分針を示している。電子時計ユニット３０は、針制御信号を取得すると、取得した針制御信号に基づいて、図示するように分針３６−１は、時計制御部５０の制御により分針３６−２の位置に回転して初期位置に戻る動作を指示された回数、繰り返す。
【００４６】
（回転指示動作）
回転指示動作は、針制御信号に基づいて、時計針が所定の方向に回転する動作である。図８は、回転指示動作を説明するための図である。電子時計ユニット３０が、針制御信号を取得すると、針制御信号に基づいて、例えば図示するように分針３６は、時計制御部５０の制御により負の方向に指示された回数、回転して初期位置に止まる動作を行う。
【００４７】
（２針連動指示動作）
２針連動動作は、針制御信号に基づいて、２つの時計針を連動させて動作させる動作である。この場合、針制御信号に基づいて、２つの時計針が所定方向に回転するように制御される。図９は、２針連動指示動作について説明するための図である。時計制御部５０が、分針３６に係る針制御信号と共に、時針３４に係る針制御信号を取得した場合、取得した針制御信号に基づいて時針３４および分針３６を制御する。時針３４、分針３６に係る針制御信号が、例えば時計針の単位時間あたりの駆動速度＝３０度／１秒、繰り返し回数＝１、回転角度＝３０度、回転方向＝（時針３４；負、分針３６；正）の指示に係る信号である場合、時針３４および分針３６は指示に対応するように回転する。これにより、時針３４は、分針３６は、それぞれ左図に示す位置θ３００度、θ６０度から右図に示す位置θ２７０度、θ９０度に回転する。なお、分針３６、および時針３４の２針連動指示動作は、例えば回転指示動作などの他の動作と重畳して実行してもよい。
【００４８】
また、２針連動指示動作では、時計針の相対角度を指示してもよい。針制御信号には、例えば時針３４と分針３６とが所定の角度差を保持して、動作するように制御するための信号が含まれていてもよい。電子時計ユニット３０が、例えば時針３４および分針３６の相対開角度＝１８０度の指示に係る針制御信号を取得すると、時針３４Ａ、および分針３６Ａは、時計制御部５０の制御により開角度１８０度となるように回転した後、開角度１８０度保持した状態（図９の右図参照）となる。更に、時計針は、１８０度を保持したまま指示された方向に回転する。このように相対角度が指示された２針連動指示動作では、２針が指示された相対角度に設定された後に連動して動作する。
【００４９】
相対角度の設定は、２つの時計針のうち一方の時計針を回転させて行うように指示してもよいし、２つの時計針を同方向、または異なる方向に回転させて行うように指示してもよい。また、情報ユニット１０の情報制御部２５が、電子時計ユニット３０から取得した時計針の位置に基づいて、信号制御部２７が適切な時計針の動作を算出し、算出した結果を反映させた針制御信号を電子時計ユニット３０に送信してもよい。また、適切な時計針動作の算出は、電子時計ユニット３０の時計制御部５０が行ってもよい。この場合、時計制御部５０は、情報ユニット１０の情報制御部２５から２つの時計針の相対針角度を取得し、相対角度、および２つの時計針の位置に基づいて、適切な時計針の動作を算出する。
【００５０】
（全針連動指示動作）
全針連動動作は、針制御信号に基づいて、すべての時計針を連動させて動作するように制御される動作である。図１０は、全針連動指示動作を説明するための図である。左図は、全針連動動作開始前の時針３４、分針３６、秒針３８を示している。電子時計ユニット３０が、全針連動動作に係る針制御信号を取得すると、例えば右図に示すようにθ０度を指し示す位置に時針３４、分針３６、秒針３８が回転する。この場合、針制御信号には、θ０度を指し示す位置において３つの時計針の閉開度０とする指示が含まれている。また、この場合、例えば時針３４は右方向に６０度回転、分針３６は左方向に６０度回転、秒針３８は右方向に１２０度回転させる指示が含まれてもよい。また、全針連動指示動作では、時針３４、分針３６、秒針３８が動作の際に保持する相対開角度を指示したり、時針３４、分針３６、および秒針３８を連動させて動作させたりしてもよい。
【００５１】
このように、電子時計ユニット３０は、情報ユニット１０から取得した針制御信号に基づいて、時計針を制御する。針制御信号は、例えば情報ユニット１０の通信電波強度や、メールの受信結果、利用者が目指す目的地の方向、情報ユニット１０の残電力など時計針を制御して表現するための信号である。電子時計ユニット３０の時計針は、送信された針制御信号に基づいて動作することで、情報ユニット１０が保持している情報を、時計針を用いて表現する。利用者は、例えば予め時計針の動作と、動作により表現される情報との対応付けを認識しているため、時計針の動作により情報を認識することができる。なお、針制御信号は、温度、湿度などの環境データ、方位などを表現するための信号であってもよい。この場合、情報ユニット１０は、他の装置から環境データ、方位などを取得してもよいし、自装置が環境データ、方位を検出するためのセンサを備えてもよい。
【００５２】
以上説明した第１の実施形態では、時計制御部５０が、通信部４８を介して取得した時刻とは無関係に時計針を制御するための物理量を含む針制御信号に基づいて、より自在に時計針の制御を行うことができる。この結果、時計針を表現豊かに動作させることができ、時計の新しい楽しみ方を提供することができる。
【００５３】
（第２の実施形態）
以下、第２の実施形態について説明する。ここでは、第１の実施形態との相違点を中心に説明し、第１の実施形態との共通する機能等についての説明は省略する。第２の実施形態では、電子時計ユニット３０が、情報ユニット１０に針制御信号を送信するように要求する。
【００５４】
図１１は、電子時計ユニット３０Ａの外観図である。図１２は、第２の実施形態の電子時計ユニット３０Ａの機能構成図である。電子時計ユニット３０Ａは、第１の実施形態の電子時計ユニット３０の機能構成に加え、更に小針操作部４９と、小針駆動部６２と、小針６４と、小針表示部６５と、カレンダー駆動部６６と、カレンダー表示部６８とを備える。小針操作部４９は、小針駆動部６２を駆動させる操作入力がされる操作部である。小針操作部４９が、例えば押圧操作されると、小針駆動部６２が駆動して小針６４が駆動する。小針駆動部６２、小針６４はクロノグラフ機構として機能する。カレンダー表示部６８は、カレンダー駆動部６６の駆動により動作することで日付を表示する。
【００５５】
小針駆動部６２、およびカレンダー駆動部６６は、針駆動部５２と同様にモータ駆動回路、モータ、輪針、針位置検出部とを有する。これらの機能は、第１の実施形態で説明した機能と同様であるため説明、および図示は省略する。また、カレンダー駆動部６６は、針位置検出部に代えて表示部位置検出部（不図示）を有する。なお、小針駆動部６２、およびカレンダー駆動部６６は、時計制御部５０の制御により駆動が制御される。
【００５６】
また、記憶部４４には、所定の条件に基づいて、情報ユニット１０に対して情報ユニット１０が保持する情報に対応する針制御信号を送信することを要求するプログラムが記憶されている。例えば所定時間ごとにカレンダー表示部６８、または小針６４を駆動させて、情報ユニット１０の電源部１２の残電力を表示させるための針制御信号の送信を要求する信号を出力するプログラムである。時計制御部５０は、記憶部４４に記憶されたプログラムに基づいて、要求信号を情報ユニット１０へ送信する。
【００５７】
図１３は、第２の実施形態における電子時計システム１により実行される処理の流れを示すシーケンス図である。本シーケンス図では、一例として電子時計ユニット３０が、情報ユニット１０の電源部１２の残電力を取得し、取得した残電力を電子時計ユニット３０の小針６４を用いて表示する場合について説明する。
【００５８】
まず、電子時計ユニット３０の時計制御部５０が、情報ユニット１０に電源部１２の残電力を問い合わせる問い合わせ信号ＳＱ＊を生成し（ステップＳ２００）、生成した問い合わせ信号ＳＱ＊を情報ユニット１０へ送信する（ステップＳ２０２）。問い合わせ信号ＳＱ＊は、小針６４の位置情報を含んでいる。問い合わせ信号ＳＱ＊の生成は、時計制御部５０が、例えば小針操作部４９がプッシュ操作されたことを検出した場合に行う。また、時計制御部５０が、記憶部４４に記憶されたプログラムに基づいて、予め設定された時間間隔で生成してもよい。
【００５９】
次に、情報ユニット１０の情報制御部２５が、通信部１８を介して問い合わせ信号ＳＱを取得し、取得した信号ＳＱ＊に基づいて自装置の残電力を算出する（ステップＳ２０４）。次に、情報制御部２５は、電源部１２の残電力を示す残電力信号ＳＡ＊を電子時計ユニット３０へ送信する（ステップＳ２０６）。残電力信号ＳＡ＊は、小針６４を制御するための小針制御信号であり、小針６４を回転させる方向や、角度等を指示する情報を含んでいる。小針６４を回転させる方向や、角度等は、小針６４の位置情報と電源部１２の残電力に基づいて、情報制御部２５が算出する。
【００６０】
次に、電子時計ユニット３０の時計制御部５０が、取得した残電力信号ＳＡ＊に基づいて、小針６４に残電力を表示させるように小針駆動部６２を制御する（ステップＳ２０８）。これにより、例えば残電力表示前の小針６４（前述した図１２の左図）は、残電力を示す位置（右図）に制御される。図１２では、例えば電源部１２の残電力は、７５パーセントであることを示している。
【００６１】
次に、時計制御部５０は、残電力信号ＳＡ＊に対応する動作後の位置に小針６４が位置した場合、時計制御部５０は、小針６４の位置を示す信号ＳＤを情報ユニット１０の情報制御部２５へ送信する（ステップＳ２１０）。これにより、電子時計システム１により実行される処理は終了する。
【００６２】
なお、本実施形態では、小針６４を用いて残電力を表示させたが、例えば時針３４、分針３６、秒針３８、カレンダー表示部６８を用いて残電力を表示させてもよい。カレンダー表示部６８を用いる場合、カレンダー表示部６８の十の位を用いず、一の位の数字のみを利用してもよいし、十の位に１〜９までの数字を予め用意しておき十の位を利用して、残電力を表示させてもよい。時計針や、カレンダー表示部６８を用いて、表示させる情報は、情報ユニット１０が保持、または取得した情報である。情報ユニット１０が保持、または取得した情報とは、例えば情報ユニット１０が予め設定された送信元から送信されたメールを受信したことを知らせる情報、電話の着信を知らせる情報、アラーム情報、タイマー情報、情報ユニットの通信状態（電波強度）、情報ユニット１０が取得した天気や、温度、湿度などの環境情報などである。
【００６３】
以上説明した第２の実施形態の電子時計システム１は、時計制御部５０が、情報ユニット１０が保持する情報を問い合わせる信号を情報ユニット１０へ送信し、問い合わせ信号に対応する針制御信号を情報ユニット１０から受信し、受信した針制御信号に対応する制御を実行するため、自発的に自装置の時計針を制御することができる。
【００６４】
（第３の実施形態）
以下、第３の実施形態について説明する。ここでは、第１の実施形態との相違点を中心に説明し、第１の実施形態との共通する機能等についての説明は省略する。第３の実施形態では、電子時計ユニット３０が、情報ユニット１０を介してスマートフォン９０や、基地局９２などの他の機器等から送信された針制御信号を取得し、取得した針制御信号に対応するように時計針を制御する。
【００６５】
図１４は、他の機器等から針制御信号を取得する場合について説明するための図である。基地局９２は、例えば有線を利用してネットワークＮＷに接続され、ネットワークＮＷに接続された他の基地局や、端末装置と通信可能である。スマートフォン９０は、基地局９２、および電子時計システム１と無線通信が可能である。スマートフォン９０と電子時計システム１とは、例えばBluetoothなどの通信規格を利用して通信を行う。スマートフォン９０から針制御信号が送信された場合、電子時計ユニット３０は、情報ユニット１０を介してスマートフォン９０から送信された針制御信号を取得し、取得した針制御信号に対応する時計針の制御を実行することで、時計針を動作させる。また、電子時計ユニット３０は、自装置の通信部４８を介して直接に針制御信号をスマートフォン９０から取得してもよい。
【００６６】
以上説明した第３の実施形態の電子時計システム１は、時計制御部５０は、他の機器から針制御信号を取得し、取得した針制御信号に基づいて、時計針を制御するため、汎用性を向上させることができる。
【００６７】
なお、本実施形態では、表示ユニットを備えるものとして説明したが、表示ユニット８０を省略してもよい。また、表示ユニット８０を、電子時計ユニット３０の上面に備えるものとして説明したが、情報ユニット１０、表示ユニット８０、電子時計ユニット３０の順に、積層してもよい。この場合、電子時計ユニット３０が備える筐体外面をスケルトン構造とすることで、表示ユニット８０が表示する情報は利用者に視認可能となる。また、本実施形態では、一例として電子時計システム１は、情報ユニット１０と電子時計ユニット３０を積層する構成として説明したが、情報ユニット１０と電子時計ユニット３０とを積層せず、情報ユニット１０と電子時計ユニット３０とを備える構成としてもよい。また、例えば電子時計ユニット３０、情報制御部２５、および通信部１８を積層する構成としてもよいし、電子時計ユニット３０、情報制御部２５、および通信部１８を積層せず備える構成としてもよい。なお、電子時計ユニット３０、情報制御部２５、および通信部１８を積層する場合、電子時計ユニット３０の表示板３２や時計針が利用者に視認可能であるように情報制御部２５、および通信部１８を電子時計ユニット３０に積層すればよく、例えば電子時計ユニット３０の側面や、表示板３２側の面の一部の領域に積層させてもよい。
【００６８】
以上、本発明の実施形態について説明したが、本発明は、上記実施形態に限定されるものではなく、本発明の趣旨を逸脱しない範囲において種々の変更を加えることが可能である。
【符号の説明】
【００６９】
１…電子時計システム、１０…情報ユニット、１２…電源部、２５…情報制御部、２０…表示通信部、２２…外部通信部、３０…電子時計ユニット、３４…時針、３６…分針、３８…秒針、４０…電源部、４４…記憶部、５０…時計制御部、５２Ａ〜５２Ｃ…針駆動部、６０Ａ〜６０Ｃ…針位置検出部、６２…小針駆動部、６４…小針
【図１】
0006482301.tif 000002
【図２】
0006482301.tif 000003
【図３】
0006482301.tif 000004
【図４】
0006482301.tif 000005
【図５】
0006482301.tif 000006
【図６】
0006482301.tif 000007
【図７】
0006482301.tif 000008
【図８】
0006482301.tif 000009
【図９】
0006482301.tif 000010
【図１０】
0006482301.tif 000011
【図１１】
0006482301.tif 000012
【図１２】
0006482301.tif 000013
【図１３】
0006482301.tif 000014
【図１４】
0006482301.tif 000015